(57)【要約】      （修正有）【課題】蓋体と中蓋とを同時に開放できると共に、中蓋のみを別個独立の操作で開放できる新規なを提供する。【解決手段】コンパクトは、内容物を充填する中皿と、この中皿を配設する容器本体１と、この本体１に開閉可能に係合する蓋体と、中皿を気密状態に維持する中蓋と、本体１内に押し込みにより蓋体の係合を解除するプッシュピース５とを備える。中蓋は、当該中蓋の枢軸と対向する端部に揺動可能に繋がる操作片を有し、この操作片に、本体１の底部に向かって垂下する突き出し片７を備え、ピース５は、押圧部5aに繋がり操作片に向かう延長部5cと、この延長部5cと薄肉部5dを介して揺動可能に繋がる先端部5eとを備え、本体１は、突き出し片７の先端7aが操作片の揺動により滑動して中蓋を開放させるように押し上げる作用面と、ピース５の押し込みにより当該ピース５の先端部5eが滑動して操作片７を上側へ揺動させるように押し上げる斜面を有する。【選択図】図１
2008272240.tif 000002
【特許請求の範囲】
【請求項１】
内容物を充填する中皿と、この中皿を配設する容器本体と、この容器本体に枢軸を介して開閉可能に保持され閉じ状態において当該容器本体に係合する蓋体と、枢軸を介して開閉可能に保持され前記中皿を気密状態に維持する中蓋と、前記容器本体内に摺動可能に保持され押し込みにより蓋体の係合を解除するプッシュピースとを備える気密コンパクトにおいて、
前記中蓋は、当該中蓋の枢軸と対向する縁部に揺動可能又は回転可能に繋がる操作片を有し、この操作片に、容器本体の底部に向かって垂下する突き出し片を備えてなり、また、
前記プッシュピースは、押し込み操作を行う押圧部と、この押圧部に繋がり前記操作片に向かって延在する延長部と、この延長部と薄肉部を介して揺動可能に繋がる先端部とを備えてなり、
前記容器本体は、操作片の上側への揺動又は回転により突き出し片の先端が滑動して中蓋を開放させるように押し上げる作用面と、前記プッシュピースの押し込みにより当該プッシュピースの前記先端部が滑動して前記操作片を上側へ揺動又は回転させるように押し上げる斜面とを有することを特徴とする気密コンパクト。
【請求項２】
前記作用面は、中蓋の枢軸から遠ざかるに従って立ち上がる斜面を有する請求項１に記載の、気密コンパクト。
【請求項３】
前記先端部は、容器本体の斜面に摺動可能に点接触又は線接触する丸みを帯びた突起部を有する請求項１又は２に記載の、気密コンパクト。
【請求項４】
前記先端部は、前記操作片を垂直に押し上げる平坦面を有する請求項１乃至３のいずれか一項に記載の、気密コンパクト。
【発明の詳細な説明】
【技術分野】
【０００１】
本発明は、蓋体を有する容器本体内に、内容物を充填する中皿を配設し、更に、この中皿を中蓋によって気密状態に維持する二重構造の気密コンパクトに関するものである。
【背景技術】
【０００２】
こうしたコンパクトは、主に、揮発成分を含んだ内容物を収納するのに用いられ、こうした内容物としては、例えば、ファンデーションやアイシャドー等の化粧料がある。
【０００３】
また、気密性を高めるための従来の構造としては、内容物を充填する蓋体付きの中皿と、この蓋体付きの中皿を収納する蓋体付きの容器本体とを別途設け、容器本体の蓋体（外蓋）を閉じる時に、この外蓋によって中皿の蓋体（中蓋）を中皿の開口部に押し付けることにより、気密性を高める構造が採用されている（例えば、特許文献１参照。）。
【特許文献１】特許第３７７８３０８号明細書
【発明の開示】
【発明が解決しようとする課題】
【０００４】
上記の従来気密コンパクトは、使い勝手の改善を目的として、容器本体側に組み込まれたプッシュピースに、外蓋を押し上げて容器本体との係合を解除する第１解除部と、中蓋を押し上げて中皿との係合を解除する第２解除部とを設け、外蓋と中蓋とを同時に開放する仕組みになっている。
【０００５】
しかしながら、こうした構造のコンパクトは、本来別々に存在するはずの、外蓋を開けるための機構と、中蓋を開けるための機構とが一体に構成されているため、外蓋と中蓋とを同時に開けて内容物を取り出して中蓋だけを閉じた後、再度、内容物を取り出すべく中蓋を開く際にも、プッシュピースを押し込むしか選択の余地がなく、使い勝手の面で改善の余地がある。
【０００６】
本発明の解決すべき課題は、蓋体を押し上げて容器本体との係合を解除するプッシュピースを利用して、中皿に一体に設けた解除部を作動させ中蓋を押し上げて中皿との係合を解除する構成としていることにあり、
その目的とするところは、蓋体と中皿に形成した解除部を確実に作動させて中蓋とを同時に開くことができると共に、中蓋のみを別個独立の操作で開くことができる新規な気密コンパクトを提供することにある。
【課題を解決するための手段】
【０００７】
本発明である気密コンパクトは、内容物を充填する中皿と、この中皿を配設する容器本体と、この容器本体に枢軸を介して開閉可能に保持され閉じ状態において当該容器本体に係合する蓋体と、枢軸を介して開閉可能に保持され前記中皿を気密状態に維持する中蓋と、前記容器本体内に摺動可能に保持され押し込みにより蓋体の係合を解除するプッシュピースとを備える気密コンパクトにおいて、前記中蓋は、当該中蓋の枢軸と対向する縁部に揺動可能又は回転可能に繋がる操作片を有し、この操作片に、容器本体の底部に向かって垂下する突き出し片を備えてなり、また、前記プッシュピースは、押し込み操作を行う押圧部と、この押圧部に繋がり前記操作片に向かって延在する延長部と、この延長部と薄肉部を介して揺動可能に繋がる先端部とを備えてなり、前記容器本体は、操作片の上側への揺動又は回転により突き出し片の先端が滑動して中蓋を開放させるように押し上げる作用面と、前記プッシュピースの押し込みにより当該プッシュピースの前記先端部が滑動して前記操作片を上側へ揺動又は回転させるように押し上げる斜面とを有することを特徴とするものである。
【０００８】
なお、本発明によれば、蓋体の枢軸と中蓋の枢軸とは、別体として構成し、又は、同一の枢軸として構成することができる。
【０００９】
また、本発明に係る容器本体の作用面は、操作片の揺動又は回転により突き出し片の先端が滑動して中蓋を開放させるように押し上げる面であれば、平坦面及び斜面を問わないが、操作片の揺動又は回転を小さく抑えつつ中蓋を効率的に開くことができる点を考慮すると、中蓋の枢軸から遠ざかるに従って立ち上がる斜面を有することが好ましい。なお、本発明において、「作用面が斜面を有する」とは、作用面全体が斜面で構成される場合も含む。
【００１０】
更に、本発明に係るプッシュピースの先端部は、容器本体の斜面に揺動可能に点接触又は線接触する丸みを帯びた突起部を有することが好ましい。
【００１１】
加えて、本発明に係るプッシュピースの先端部は、中蓋に繋がる操作片を垂直に押し上げる平坦面を有することが好ましい。
【発明の効果】
【００１２】
本発明によれば、プッシュピースの押し込みは、蓋体と容器本体との係合を解除する一方で、中蓋に繋がる操作片を上側へ揺動又は回転させるように押し上げる。これにより、操作片の突き出し片が容器本体の作用面を滑動して中蓋を開放させるように押し上げるので、中蓋も併せて開放できる。
【００１３】
加えて、本発明によれば、操作片が中蓋に繋がっているため、使用者が操作片を直接操作して上側へ揺動又は回転させるように押し上げても、操作片の突き出し片が容器本体の作用面を滑動して中蓋を開放させるように押し上げるので、使用者の操作片に対する直接的な操作でも中蓋を開くことができる。
【００１４】
即ち、本発明によれば、蓋体と中蓋とを同時に開くことができると共に、中蓋のみを別個独立の操作で開くことができる。従って、本発明によれば、内容物を取り出すにあたっては、蓋体と中蓋とを同時に開けられるので使い勝手がよく、また、中蓋だけを閉じた後、再度、内容物を取り出すにあたっても、使用者が、プッシュピースを操作して中蓋を開くか、中蓋に繋がる操作片を操作して中蓋を開くかを、使用状態等に応じて適宜選択できるので、使い勝手がよい。
【００１５】
加えて、本発明によれば、操作片を上側に揺動又は回転させることで中蓋が開放されるため、使用者の積極的な引き上げ動作のない意図せぬ中蓋の開放を防止することができる。
【００１６】
また、本発明において、容器本体の作用面が、中蓋の枢軸から遠ざかるに従って立ち上がる斜面を有すれば、操作片を揺動又は回転させたときに、中蓋と容器本体の作用面とを離間させる力を大きく確保することができるため、より確実な中蓋の開放を実現できる。
【００１７】
更に、本発明において、プッシュピースの先端部に、容器本体の斜面に揺動可能に点接触又は線接触する丸みを帯びた突起部を設ければ、容器本体の斜面での滑動がスムースになると共に、当該先端部は、その上面を水平状態に保ったまま操作片を押し上げるため、蓋体と中蓋とを同時に開く際の使い勝手が更に良好になる。
【００１８】
加えて、本発明において、プッシュピースの先端部が、中蓋に繋がる操作片を垂直に押し上げる平坦面を有すれば、操作片を上側へ効率的に揺動又は回転させることができるので、蓋体と中蓋とを同時に開く際の使い勝手が更に良好になる。
【００１９】
なお、本発明の気密コンパクトを、中皿と共に、パフやブラシ等の塗布具を配設可能な化粧用コンパクトとして用いる場合には、蓋体を開いて置いたままでも、上から楽に中蓋を開くことができるために有効である。
【発明を実施するための最良の形態】
【００２０】
以下、図面を参照して、本発明の好適な形態を詳細に説明する。
【００２１】
図１〜３はそれぞれ、本発明の一形態である化粧用コンパクトを示す平面図、図１のＡ−Ａ断面図及び図１のＢ−Ｂ断面図である。また、図４は、図２の要部を拡大して示す断面図である。更に、図５は、図４に示す状態から中蓋を開くための動作を説明する断面図である。
【００２２】
符号１は、化粧用コンパクトの基本骨格をなす容器本体である。容器本体１は、対向する一対の短辺1a,1bと、対向する一対の長辺1c,1dと、これら４辺を一体に繋ぐ底部1eからなる矩形のものであり、その内側には、薄板状のフレームｆが配置されている。フレームｆには台座faが形成されており、この台座faを介して、容器本体１には、破線で示すパフ等の塗布具Ｍを収納する凹部（収納空間）R1と、後述の中皿２を収納する凹部とが区画形成されている。
【００２３】
符号２は、図２に示すように、容器本体１の凹部R1に隣接して嵌め込み状態に配設された中皿である。この中皿２には、揮発成分を含む化粧料（図示せず）が充填されており、中皿２そのものが、レフィル容器として機能するように、後述のように、容器本体１に対して着脱可能に配置されている。
【００２４】
符号３は、中皿２の外壁下部に一体的に設けられた爪部である。一方の爪部３は、図４に示すように、フレームｆの台座faに形成された爪部fnと係合し、他方の爪部３は、図２に示すように、フレームｆと一体に形成され弾性変形可能な逆Ｌ字状断面の係合片1gと係合する。これにより、中皿２は、容器本体１に対して着脱可能に保持固定される。
【００２５】
符号４は、容器本体１の長辺1cに枢軸S1（図３参照。）を介して開閉可能に保持される蓋体である。この蓋体４の枢軸S1と反対側の長辺1dには、容器本体１の爪部P1に着脱可能に係合するフック4aが設けられている。
【００２６】
符号５は、容器本体１内に摺動可能に保持され、押し込みにより、容器本体１の爪部P1と蓋体４のフック4aとの係合を解除するプッシュピースである。
【００２７】
プッシュピース５は、図３に示すように、使用者が実際に触れて押し込み操作を行う押圧部5aを有し、この押圧部5aの背面には、薄肉部を介して揺動可能に繋がる押上げ部5bが設けられている。
【００２８】
これにより、プッシュピース５を押圧すると、それに繋がる押圧片5bは爪部P1の基部に設けられた傾斜面に沿って上方へと滑動し、フック4aを押し上げることで、フック4aと爪部P1との係合を解除することができる。
【００２９】
またプッシュピース５における押圧部5aの背面には、この押圧部5aと繋がり後述の操作片７に向かって延在する延長部5cと、この延長部5cと薄肉部5dを介して揺動可能に一体に繋がる先端部5eとが設けられている。
【００３０】
更に、本形態には、先端部5eの下側に、丸みを帯びた突起部5pが設けられている。この突起部5pは、容器本体１の長手方向に沿って連続的に延在する突条であっても、間欠的に複数設けた突起であっても、単独に存在するものであってもよい。また、先端部5eの上側には、後述の操作片７を垂直に押し上げる平坦面Ｆが形成されている。
【００３１】
これに対し、容器本体１の底部1eの内側には、プッシュピース５の押し込みにより、その先端部5eに設けた突起部5pが滑動する斜面f1が設けられている。この斜面f1は、操作片７に向かうに従って立ち上がり、これにより、プッシュピース５の先端部5eを上側へ揺動させるように押し上げる。
【００３２】
符号６は、蓋体５の枢軸S1とは異なる枢軸S2を介して中皿２に開閉可能に保持された中蓋である。この中蓋６は、図１に示すように、その周回部（以下、「フランジ」という。）6fを有し、更に、図４に示すように、フランジ6fのうち、枢軸S2と対向する端縁ｅ6近傍から垂下する爪部6aを有し、この爪部6aが、図２及び図４に示すように、中蓋６を閉じた状態で中皿２の爪部2aに着脱可能に係合する。
【００３３】
また、中蓋６は、蓋体４の開放状態で何らの規制を受けることなしに当該中蓋６を開放することができるように、図１に示す如く、枢軸S2が容器本体１の短辺1aに設けられた切欠部Ｃに配置される。
【００３４】
符号７は、中蓋６のフランジ6fのうち、枢軸S2と対向する端縁ｅ6側に設けられた操作片である。この操作片７は、図１に示すように、中蓋６の端縁ｅ6から突出するフランジ6fの相対縁部ｆ6に、薄肉のヒンジＨを介して一体に繋がり、フランジ6fと平行に形成されている。これにより、操作片７は、図４及び図５に示すように、中蓋６の開閉動作とは独立して、当該蓋体６に対して上下に揺動させることができる。
【００３５】
また、操作片７は、図１に示すように、ヒンジＨに繋がる領域部（以下、「ヒンジ側領域部」という）7aと、この相互間にあって端縁ｅ6に向かって延在する中央領域部7bとで構成されている。また、ヒンジ側領域部7aのうち、プッシュピース５の押圧部5aに近い側には、図２等に示すように、プッシュピース５の先端部5eに形成した平坦面Ｆが接触する下部基台7cが設けられている。
【００３６】
符号８は、図１及び図３で示すように、中央領域部7bから容器本体１の底部1eに向かって垂下するする突き出し片である。この突き出し片８は、容器本体１の短手方向に延在し、その先端8aには、図４及び図５に示すように、エッジが形成されてないよう、丸め加工が施されている。
【００３７】
即ち、中蓋６は、枢軸S2と対向する縁部に揺動可能に繋がる操作片７を有し、この操作片７に、容器本体１の底部1eに向かって垂下する突き出し片８を一体に備えてなる。
【００３８】
これに対し、符号９は、図４に示すように、フレームｆの台座faに形成される作用面である。この作用面９には、中蓋６を閉じたときに、同図に示す如く、操作片７の突き出し片８が傾いた状態で当接し、操作片７を矢印に示すように揺動させると、突き出し片８の先端部8aが図５に示すように作用面９に沿って滑動する。
【００３９】
作用面９は、図３に示すように、容器本体１の短辺方向に沿って延在すると共に、これに引き続いて段差をもって容器本体１の短辺方向に沿って延在する。即ち、作用面９は、容器本体１の短辺方向に沿って延在し、図３，４に示すように、枢軸S2から遠ざかるに従って立ち上がる斜面を構成する。
【００４０】
これにより、操作片７を引き上げてヒンジＨ周りに上側に揺動させると、図５に示すように、突き出し片８の先端8aが作用面９に沿って滑動するのに伴い、当該作用面９からの反力として突き出し片８が中蓋６を押し上げるため、同図に示すように、中皿２の爪部2aと中蓋６の爪部6aとの係合が解除される。
【００４１】
図２及び図４に示す符号Ｓは、中蓋６の裏側に配置されたシール部材である。このシール部材Ｓは、ゴムやエラストマー等の軟質部材からなり、中蓋６が中皿２に合わさった際に当該中皿２を気密状態に保持する。
【００４２】
また符号Ｐは、中蓋６の上部（好適には、フランジ6fの縁部ｅ6上部）に設けられた凸部である。この凸部Ｐは、蓋体４を閉じた時に、中蓋６を中皿２に向けて押圧するための押し代を確保するためのものであり、蓋体４の裏面に鏡が取り付けられている場合には鏡を介して押圧される。
【００４３】
次に、本発明に従うコンパクトの作用効果を説明する。
【００４４】
蓋体４は、図３に示すように、そのフック4aが容器本体１の爪部P1に係合しているときは完全に閉じられており、中皿２は気密状態に維持されている。
【００４５】
ここで使用者がプッシュピース５を操作片７に向かって押し込むと、プッシュピース５の押上げ部5bが蓋体４のフック4aを押し上げて容器本体１の爪部P1との係合を解除する。
【００４６】
また、プッシュピース５を操作片７に向かって押し込むことは同時に、プッシュピース５の先端部5eを作用面９に沿って滑動させると共に、薄肉部5dを基点に上側に揺動させる。これにより、プッシュピース５の先端部5eは、図４に示す位置から図５に示す位置に変位して、台座faに設けた貫通孔ｈを通って操作片7の一方のヒンジ側領域部7aを押し上げる。
【００４７】
すると、図５の矢印に示すように、操作片７がヒンジ部Ｈ周りを上側に揺動するのに伴い、突き出し片８の先端部8aは作用面９に沿って滑動し、当該作用面９からの反力として突き出し片８が中蓋６を押し上げる。これにより、プッシュピース５を押圧すると、容器本体１と蓋体４との係合を解除することに加え、中皿２の爪部2aと中蓋６の爪部6aとの係合も解除できる。
【００４８】
従って、本発明に従うコンパクトによれば、プッシュピース５を操作片７に向かって押し込むだけで、蓋体４と中蓋６とを一緒に開くことができる。
【００４９】
また、本発明に従うコンパクトによれば、使用者が、操作片７を直接操作してヒンジ部Ｈ周りに揺動させることもでき、この場合、中蓋６のみを独立して開くことができる。
【００５０】
なお、作用面９には、斜面が存在することが好ましいが、斜面を必ずしも存在させる必要はない。即ち、斜面の無い平坦な作用面９だけであっても、使用者が図４の矢印に示す方向に操作片７を動かすと、この操作片７の突き出し片８がヒンジ部Ｈによって中蓋６に対して規制を受けることで、その先端部8aが作用面９に接触する位置を作用点として中蓋６を持ち上げることもできる。
【００５１】
上述したように、本発明に従うコンパクトによれば、プッシュピース５の押し込みは、蓋体４と容器本体１との係合を解除する一方で、中蓋６に繋がる操作片７を上側へ揺動させるように押し上げる。これにより、操作片７の突き出し片８が容器本体１の作用面９を滑動して中蓋６を開放させるように押し上げるので、中蓋６も併せて開放できる。
【００５２】
加えて、本発明に従うコンパクトによれば、操作片７が中蓋６に繋がっているため、使用者が操作片７を直接操作して上側へ揺動させるように押し上げても、操作片７の突き出し片８が容器本体１の作用面９を滑動して中蓋６を開放させるように押し上げるので、使用者の操作片７に対する直接的な操作でも中蓋６を開くことができる。
【００５３】
即ち、本発明に従うコンパクトによれば、蓋体４と中蓋６とを同時に開くことができると共に、中蓋６のみを別個独立の操作で開くことができる。従って、本発明に従うコンパクトによれば、内容物を取り出すにあたっては、蓋体４と中蓋６とを同時に開けられるので使い勝手がよく、また、中蓋６だけを閉じた後、再度、内容物を取り出すにあたっても、使用者が、プッシュピース５を操作して中蓋６を開くか、中蓋６に繋がる操作片７を操作して中蓋６を開くかを、使用状態等に応じて適宜選択できるので使い勝手がよい。
【００５４】
加えて、本発明に従うコンパクトによれば、操作片７を上側に揺動させることで中蓋６が開放されるため、使用者の積極的な引き上げ動作のない意図せぬ中蓋６の開放を防止することができる。
【００５５】
また、上述した本発明に従うコンパクトのように、容器本体１の作用面９が、中蓋６の枢軸S2から遠ざかるに従って立ち上がる斜面を有すれば、操作片７を揺動させたときに、中蓋６と作用面９とを離間させる力を大きく確保することができるため、より確実な中蓋６の開放を実現できる。
【００５６】
更に、上述した本発明に従うコンパクトのように、プッシュピース５の先端部5eに、容器本体１の斜面f1に揺動可能に点接触又は線接触する丸みを帯びた突起部5pを設ければ、容器本体１の斜面f1での滑動がスムースになると共に、当該先端部5eは、その上面を水平状態に保ったまま操作片７を押し上げるため、蓋体４と中蓋６とを同時に開く際の使い勝手が更に良好になる。
【００５７】
加えて、上述の本発明に従うコンパクトでは、プッシュピース５の先端部5eが、中蓋６に繋がる操作片７を垂直に押し上げる平坦面Ｆを有している。この場合、操作片７を上側へ効率的に揺動させることができるので、蓋体４と中蓋６とを同時に開く際の使い勝手が更に良好になる。
【００５８】
上述したところは、本発明の好適な形態をしたものであるが、特許請求の範囲において、種々の変更を加えることができる。
【００５９】
例えば、本形態の突き出し片８は、操作片７のヒンジ側領域部7a又は中央領域部7bの一方にだけ設けても、ヒンジ側領域7aの両方だけに設けてもよい。また、本発明に従えば、操作片７は、その全体をヒンジＨで繋いだ構成であってもよい。更に、プッシュピース５の先端部5eの位置も、操作片７のレイアウトに応じて適宜変更することができる。
【００６０】
また、本形態の操作片７は、中蓋６にヒンジＨを介して揺動可能に繋がる構成であるが、本発明によれば、中蓋６にピン等を介して回転可能に繋がる構成としてもよい。
【００６１】
また、本形態では、中蓋６を中皿２に開閉可能に組み付けたが、中蓋６は、枢軸S2を容器本体１又はフレームｆに設け、容器本体１又はフレームｆに回転可能に組み付けてもよい。
【００６２】
更に、本形態では、本発明に係る斜面をフレームｆの台座faに設けたが、フレームｆではなく、容器本体１に直接設けてもよい。更に、本形態では、フレームｆを含めて本発明に係る容器本体１として構成しているが、文言とおり、容器本体１のみをもって本発明に係る容器本体として構成してもよい。
【００６３】
また、本発明に係る作用面９は、容器本体１を２つに区画する台座fa以外の位置、例えば、容器本体１の長辺1c側又は1d側に形成して突き出し片８をそれに合せて配置することができ、更に、枢軸S2の位置を変更すれば、それに合せて異なる配置を取ることができる。加えて、蓋体４の枢軸S1と中蓋６の枢軸S2とは、上述した各形態のように、別体として構成するだけでなく、同一の枢軸として構成してもよい。
【００６４】
また、本発明の気密コンパクトを、上述の形態のように、中皿２と共に、パフやアイライナー等の塗布具Mを収納可能な化粧用コンパクトとして用いる場合には、蓋体４を開いて置いたままでも、上から楽に中蓋６を開くことができるために有効である。
【００６５】
蓋体４、中蓋６は同時に開放する場合を例として示したが、蓋体４を開放したのち中蓋６を開放するようにしてもよく、その設定は、プッシュピース５の延長部5cのストロークあるいは斜面f1における角度を適宜変更することにより行うことができる。
【産業上の利用可能性】
【００６６】
一回の操作で容器本体の蓋体と中皿の中蓋を開放することができると共に中蓋のみを別個独立の操作で開くことができる使い勝手のよい気密コンパクトが提供できる。また、本発明は、化粧料コンパクト以外にも、軟膏や錠剤を内容物とする薬品容器等各種容器としても適用できる。
【図面の簡単な説明】
【００６７】
【図１】本発明の一形態である化粧用コンパクトを示す平面図である。
【図２】図１のＡ−Ａ断面図である。
【図３】図１のＢ−Ｂ断面図である。
【図４】図２の要部を拡大して示す断面図である。
【図５】同形態において、図４に示す状態から中蓋を開くための動作を説明する断面図である。
【符号の説明】
【００６８】
１  容器本体
1a  容器本体短辺
1b  容器本体短辺
1c  容器本体長辺
1d  容器本体長辺
1e  容器本体底部
ｆ  フレーム
fa フレーム台座
fn フレーム爪部（中皿固定用）
２  中皿
2a  中皿爪部（中蓋固定用）
３  中皿爪部（中皿固定用）
４  蓋体（外蓋）
５  プッシュピース
5a  押圧部
5b  押上げ部
5c  延長部
5d  薄肉部
5e  先端部
６  中蓋
6b  相対縁部
6a  中皿爪部
７  操作片
7a  ヒンジ側領域部
7b   中央領域部
８  突き出し片
8a  突き出し片先端部
９  作用面
Ｆ  プッシュピース先端部に形成した平坦面
Ｓ  シール部材
Ｐ  押し代確保用突部
Ｈ  ヒンジ
【図１】
2008272240.tif 000003
【図２】
2008272240.tif 000004
【図３】
2008272240.tif 000005
【図４】
2008272240.tif 000006
【図５】
2008272240.tif 000007